(57)【要約】【課題】パテの成形形状が、不揃いであると厚部で、硬化時間が長く、薄部で、機能不足を生じる。この厚薄を避け、パテ塗布を、容易に、心を外すことなく、一定幅、厚さで、成形状態の良く、成形できるへらを提供すること。【解決手段】  建築改修用へらであって、底部に塗布厚さと塗布幅に及ぶ切欠部を有すし、この切欠部の底内側の角が略円或いは略楕円の面取りをされている、切欠部の把持側内角が略円或いは略楕円にされていることを特徴とする建築改修用へらとすること。【選択図】図１
0003128534.tif 000002
【実用新案登録請求の範囲】
【請求項１】
建築改修用へらであって、底部に塗布厚さと塗布幅に及ぶ切欠部を有する建築改修用へら。
【請求項２】
請求項１に記載の切欠部の底内側の角が略円或いは略楕円の面取りをされていることを特徴とする請求項１記載の建築改修用へら。
【請求項３】
請求項１に記載の切欠部の把持側内角が略円或いは略楕円にされていることを特徴とする請求項１乃至２記載の建築改修用へら。
【考案の詳細な説明】
【技術分野】
【０００１】
本考案は、建築物のひび割れ部等に用いるシール用パテベラに関するものである。
【背景技術】
【０００２】
建築補修に一定の厚みを維持し、所定の幅を塗布する必要がある場合、厚さ相当のテープを、あらかじめ塗布幅の外に貼り付け、塗布物の厚さの設定と、塗布物のはみ出しを防止に用いることがあるが、テープの密着適正、継ぎ目等に工夫を要し、また、貼り付け、除去の作業は作業者の技量に依存し、時間がかかる。
【０００３】
具体的なものとして、非特許文献１の低圧エポキシ樹脂注入工法は「ひび割れ部に沿って仮止めシール材をパテヘら等で幅30mm,厚さ2ｍｍ程度にシールする」とされている。これは過剰にすれば、液漏れはなくなるものの、シール材を多く必要とするため好ましくなく、シール材の除去に手間を要する。一般的には厚さを一定にするため、養生テープを貼り、マスクとスペーサとし、シール材を塗ることになり、一定の厚さ、ひび割れを中心として行うことは多くの、手間と経験を要することであった。
【０００４】
パテベラの金属部分先端ＡＢに、凹に対応してパテ塗布作業のできる湾曲した形状Ｅをパテベラの金属部分先端に構成し平面にある凹の部分を平滑にするためにパテを塗布する時、凹が広幅深溝である場合に、従来のパテベラでは技術的には熟練を工程的には重複作業を必要としていたが、適切なパテの分量を一度の作業工程で均一で短時間に塗布作業することを可能にすることが開示されている。（特許文献１）
【特許文献１】実開平７−１６８４４号公報
【非特許文献１】(財)建築保全センター  発行「公共建築改修工事標準仕様書
【考案の開示】
【考案が解決しようとする課題】
【０００５】
解決しようとする課題は、ひび割れ部等の対象面に、厚さ、幅設定用テープ及び貼り付け作業を無くし、容易に対象の心が判り、仕上がり面が安定し、角のない成形形状を得るへらである。
【課題を解決するための手段】
【０００６】
請求項１の考案は、建築改修用へらであって、底部に塗布厚さと塗布幅に及ぶ切欠部を有するものであり、高さ方向は塗布時のへらの傾きとパテの粘性による一定の厚さで、幅もへら幅に略同じ成形断面形状となる。
請求項２の考案は、請求項１に記載の切欠部の底内側の角が略円或いは略楕円の面取りをされていることを特徴とする請求項１記載の建築改修用へらで、パテ切れが良く、パテの空気巻き込み等による欠損を防げる。
請求項３の考案は、  請求項１に記載の切欠部の把持側内角が略円或いは略楕円にされていることを特徴とする請求項１乃至２記載の建築改修用へらで、成形上部角のパテの空気巻き込み等非連続性欠損を防げる。
【考案の効果】
【０００７】
本考案の建築改修用へらは、へらに高さ方向に厚さ、横方向に幅の切欠を設けることにより、スペーサとマスクの役目をするテープ貼り付け、除去の必要がなく、テープ等の継ぎ、曲がりよる段差がなく、一定した形状が、経験の多少に関わらず、得られる。また、底部角に略円或いは略楕円の面取りをすることにより、パテが、横方向一定の厚さが得られる。空気が入っても逃げやすく、もし入っても、シール性等の機能に影響を与えないものとなる。上部内角を略円或いは略楕円にされていることにより、成形形状の角がなくなる他、パテが不足しても、非連続変化とはならず、機能の確保が高まる。
【考案を実施するための最良の形態】
【０００８】
図１は建築改修用へらの全体図であり、切欠部を図２に示す。１枚の金属を加工、或いはポリプロピレン樹脂等の成形等の加工物で、厚さは１〜３ｍｍで、材質による剛性、強度を考慮して、設定する。把持部（１）は持ち方により、幅、長さを設定する。図１は把持部を握るもので、図３は掴むものの例である。切欠部（２）の高さ（Ｂ）はへらの塗布面との角度に設定する。例えば約４５°に傾けて使用する場合は、必要な塗布厚さに傾きの余弦関数で除した高さに・パテの粘性による係数を掛けた高さで設定する。幅（Ａ）は塗布幅と略同じであり、これを設定する。パテ保持部は、予め仮塗りした量と兼ね合いで決める。幅（Ｅ）は、耐久性、撓い易さ等、材質、パテの塗布適性に応じて適宜決める。
【０００９】
切欠部の底内側の角（Ｃ）の面取りは、半径１〜２ｍｍの円或いは楕円の面取りで、楕円の場合、横方向に長円とすれば、滑らかな仕上がりとなる。面取りはＣ面であっても良い。
【００１０】
切欠部の把持側内角（Ｄ）も、同じく半径１〜２ｍｍの円或いは楕円の面取りで、楕円の場合、横方向に長円とすれば、滑らかな仕上がりとなる。面取りはＣ面であっても良い。
【実施例１】
【００１１】
図２は、Ａを３０ｍｍ、Ｂを３ｍｍ、Ｃ、Ｄをそれぞれ半径１．５ｍｍの面取りをし、Ｅを１５ｍｍとした図１のへらであり、これを用いて、長さ５０ｃｍ程度のひび割れの入ったコンクリート壁面に対し、ひび割れに沿ってコーキングガンでシール材ジョリシールインジェクターシールＪＢ−ＱＳＳ（アイカ工業(株)スチレンゴム系シール材、溶剤形、固形分約３５％、商品名）、を４０ｍｌ塗布した。前記へらを用いてこのシール材をのばしたところ、へら中央部をひび割れにあわせることが容易にでき、５０ｃｍの間を容易に、問題のないパテの成形ができた。なお、膜厚はばらつくと、厚い部分で溶剤の揮発が遅れ、硬化に多くの時間を要するが、このへらでは均一なため、不要時間を省くことができた。
【産業上の利用可能性】
【００１２】
本考案のへらはパテ状物だけでなく、高粘度な樹脂配合物全体に適応でき、へらの外側をガイドにあてれば、部分的なコーテングのための樹脂だめ（仕切り等）にも適応できる。
【図面の簡単な説明】
【００１３】
【図１】建築改修用へら  本体と中心断面図
【図２】建築改修用へら  切欠部分  右図は中心断面
【図３】持ち方による変形例
【図４】切欠部を略円状にしたその他の例  右図は中心断面
【符号の説明】
【００１４】
１    把持部
２    切欠部
３    パテ保持部
Ａ    切欠部幅
Ｂ    切欠部高
Ｃ    切欠部底内側面取り
Ｄ    切欠部把持側内角処理部
Ｅ    へら底部未切欠部
【図１】
0003128534.tif 000003
【図２】
0003128534.tif 000004
【図３】
0003128534.tif 000005
【図４】
0003128534.tif 000006
【手続補正書】
【提出日】平成18年11月14日(2006.11.14)
【手続補正１】
【補正対象書類名】実用新案登録請求の範囲
【補正対象項目名】請求項３
【補正方法】変更
【補正の内容】
【請求項３】
請求項１に記載の切欠部の把持側内角が略円或いは略楕円にされていることを特徴とする請求項１または２記載の建築改修用へら。